(57)【要約】【課題】ラボラトリ機器の組付けを簡素化し、設計多様性を増すラボラトリ機器用ハウジング、ラボラトリ機器、およびラボラトリ機器を組み立てる方法を提供すること。【解決手段】ラボラトリ機器（１００）用ハウジング（１０２）が、開示される。ラボラトリ機器（１００）は、基礎板（１０４）を備え、少なくとも１つの消耗品を保持するように構成される保持具（１１８）または少なくとも１つの消耗品を含むラックが、前記基礎板（１０４）に対して据え付けられ、ハウジング（１０２）が、枠（１２２）を備え、枠（１２２）が、基礎板（１０４）を支持するように構成される。さらに、ラボラトリ機器（１００）、およびラボラトリ機器（１００）を組み立てる方法が、開示される。【選択図】図２
2018036251.tif 000002
【特許請求の範囲】
【請求項１】
ラボラトリ機器（１００）用ハウジング（１０２）であって、前記ラボラトリ機器（１００）が、基礎板（１０４）を備え、少なくとも１つの消耗品を保持するように構成される保持具（１１８）または少なくとも１つの消耗品を含むラックが、前記基礎板（１０４）に対して据え付けられ、前記ハウジング（１０２）が枠（１２２）を備え、前記枠（１２２）が、前記基礎板（１０４）を支持するように構成される、ハウジング。
【請求項２】
前記枠（１２２）が、前記基礎板（１０４）が前記枠（１２２）に対して直接据え付け可能であるように構成される、請求項１に記載のハウジング（１０２）。
【請求項３】
前記枠（１２２）が複数の輪郭部（１２４）を備え、前記輪郭部（１２４）が互いに連結される、請求項１または２に記載のハウジング（１０２）。
【請求項４】
前記枠（１２２）が、対向する側面枠部分（１２６）と、横断枠部分（１２８）とを備え、前記側面枠部分（１２６）が、前記横断枠部分（１２８）を用いて互いに連結される、請求項１から３のいずれか一項に記載のハウジング（１０２）。
【請求項５】
前記横断枠部分（１２８）が、前記側面枠部分（１２６）に固定される、請求項４に記載のハウジング（１０２）。
【請求項６】
前記基礎板（１０４）が、前記側面枠部分（１２６）に対して据え付けられる、請求項４または５に記載のハウジング（１０２）。
【請求項７】
前記側面枠部分（１２６）のそれぞれが、上側枠部分（１３２）、下側枠部分（１３４）および２つの連結枠部分（１３６）を備え、前記上側枠部分（１３２）および前記下側枠部分（１３４）は前記連結枠部分（１３６）に連結される、請求項４から６のいずれか一項に記載のハウジング（１０２）。
【請求項８】
前記枠（１２２）が、補強される、請求項１から７のいずれか一項に記載のハウジング（１０２）。
【請求項９】
底板（１４０）、後方壁（１４２）および２つの対向する側壁（１４４）をさらに備え、前記底板（１４０）、前記後方壁（１４２）および前記側壁（１４４）が前記枠（１２２）に対して据え付けられる、請求項４から７のいずれか一項に記載のハウジング（１０２）。
【請求項１０】
前記枠（１２２）が、前記枠（１２２）に対して据え付けられた前記底板（１４０）、前記後方壁（１４２）および前記側壁（１４４）を用いて補強される、請求項９に記載のハウジング（１０２）。
【請求項１１】
フード（１６０）をさらに備え、前記フード（１６０）が、前記枠（１２２）に対して枢動可能に据え付けられる、請求項７から１０のいずれか一項に記載のハウジング（１０２）。
【請求項１２】
ガススプリング（１６２）をさらに備え、前記ガススプリング（１６２）が、前記フード（１６０）および前記枠（１２２）に対して据え付けられる、請求項１１に記載のハウジング（１０２）。
【請求項１３】
基礎板（１０４）と、機器要素（１０６）の群と、請求項１から１２のいずれか一項に記載のハウジング（１０２）とを備えるラボラトリ機器（１００）であって、前記基礎板（１０４）が、前記ハウジング（１０２）の前記枠（１２２）に対して直接据え付けられ、前記機器要素（１０６）の少なくともいくつかが、前記基礎板（１０４）に対して据え付けられる、ラボラトリ機器（１００）。
【請求項１４】
前記機器要素（１０６）の群が、電力ヒューズボックス（１０８）、印刷機用支持体（１１０）、光源（１１２）、風胴（１１４）、ケーブルツリー（１１６）、分析機器、教示用ボルトまたはマーク、識別または検出用装置、ラックを保持するように構成される保持具（１１８）、試料を分析するための光学部品、液体の熱処理用装置、消耗品を取り扱うための装置、試料または試薬を処理するための装置で構成される群から選択された少なくとも１つの要素を備える、請求項１３に記載のラボラトリ機器（１００）。
【請求項１５】
ラボラトリ機器（１００）を組み立てる方法であって、
−  ハウジング（１０２）の枠（１２２）を据え付けるステップと、
−  基礎板（１０４）を前記枠（１２２）に対して据え付けるステップであって、前記枠（１２２）が、前記基礎板（１０４）を支持するように構成される、基礎板を前記枠に対して据え付けるステップと、
−  機器要素（１０６）を前記基礎板（１０４）に対して据え付けるステップと、を含む、ラボラトリ機器（１００）を組み立てる方法。
【発明の詳細な説明】
【技術分野】
【０００１】
本明細書に開示するのは、ラボラトリ機器用ハウジング、ラボラトリ機器、およびラボラトリ機器を組み立てる方法である。
【背景技術】
【０００２】
試験管内（ｉｎ  ｖｉｔｒｏ）診断試験は、重要な情報を医師に提供し、臨床的な決定に大きな影響を与える。詳細には、救命救急環境において、迅速で正確な試験結果を提供することには大きな重要性がある。試験管内診断試験は、通常、１つまたは複数の生体試料および／または１つまたは複数の試薬上で１つまたは複数の処理ステップおよび／またはワークフローステップを実行するのに使用可能な、分析前機器、分析後機器、およびまた分析機器などの、ラボラトリ機器を使用しながら実行される。
【０００３】
分析機器／分析器は、計測値を得るように構成される。分析器は、さまざまな化学的、生物学的、物理的、光学的、または他の技術的手順を経て、試料またはその構成要素のパラメータ値を測定するように動作可能である。分析器は、試料の、または少なくとも１つの検体の前記パラメータを計測するように動作可能であり、得られた計測値を報告し得る。分析器によって報告される可能性のある分析結果の一覧として、試料の分析物の濃度、試料の中に検体が存在することを示すデジタル式（はいまたはいいえ）結果（検出水準を上回る濃度に対応する）、光学的パラメータ、ＤＮＡまたはＲＮＡ配列、タンパク質または代謝物の質量分析から得られるデータ、および多種の物理的または化学的パラメータが挙げられるが、これらに限定されるものではない。分析機器は、試料および／または試薬のピペット操作、薬品注入、および混合を支援するユニットを備える場合がある。分析器は、検定を実行するために、試薬を保持するための試薬保持ユニットを備える場合がある。試薬は、例えば、個々の試薬または試薬の群を収納し、保管室またはコンベヤの中で適切な貯蔵所にまたは位置に置かれる容器またはカセットの形で配置され得る。分析器は、消耗品供給ユニットを含む場合もある。分析器は、ある種の型の分析に対してワークフローを最適化させた処理および検出システムを備えることができる。そのような分析器の例は、化学的もしくは生物学的反応の結果を検出する、または化学的もしくは生物学的反応の進行を監視するのに使用される、臨床的化学分析器、凝固化学分析器、免疫化学分析器、尿分析器、核酸分析器である。
【０００４】
米国特許出願公開第２００４／００８１５８３Ａ１号または米国特許出願公開第２００５／０１２３４４５Ａ１号に記載されるものなど、知られているラボラトリ機器は、ハウジングによって囲まれたシャーシまたは支持構造物によって構築される。シャーシまたは支持構造物は、ラボラトリ十分に堅固である機能およびラボラトリ機器を正確に組み立てる機能を果たす。ほとんどの場合、高精度の据付処理を可能にする作業面として、基礎板が設けられる。基礎板、重さの力をシャーシまたは支持構造物に伝えるため、基礎板もまた堅固でなければならない。ハウジングは、もっぱら、設計および保護という理由のために設けられており、技術的機能を果たすものではない。
【０００５】
したがって、ラボラトリ機器の構築には、複数の構造部材が必要である。さらに、構造部材は、組み立てられるために、相互に精密に適合していなければならない。
【先行技術文献】
【特許文献】
【０００６】
【特許文献１】米国特許出願公開第２００４／００８１５８３Ａ１号
【特許文献２】米国特許出願公開第２００５／０１２３４４５Ａ１号
【発明の概要】
【発明が解決しようとする課題】
【０００７】
開示されたラボラトリ機器用ハウジング、ラボラトリ機器、およびラボラトリ機器を組み立てる方法の実施形態は、ラボラトリ機器の組付けを簡素化することと、設計多様性を増すこととを目指す。
【課題を解決するための手段】
【０００８】
開示されたラボラトリ機器用ハウジング、ラボラトリ機器、およびラボラトリ機器を組み立てる方法の実施形態は、独立請求項の特徴を有する。独立したやり方で、または何らかの任意の組合せで実現され得る本発明の別の実施形態は、従属請求項にて開示される。
【０００９】
以下で使用される場合、「有する」、「備える」、もしくは「含む」の用語、またはその何らかの任意の文法にかなった変型例は、非排他的な方法で使用される。したがって、これらの用語は、これらの用語によって紹介された特徴の他には、この文脈において記載される実体にはこれ以上の特徴は、存在しない状況と、１つまたは複数のさらなる特徴が存在する状況とを、両方ともを表すことができる。一例として、「Ａは、Ｂを有する」、「Ａは、Ｂを備える」、および「Ａは、Ｂを含む」という表現は、Ｂの他に、他のいかなる要素もＡには存在しない状況（すなわちＡがもっぱら排他的にＢで構成される状況）と、Ｂの他にも、要素Ｃ、要素ＣおよびＤ、またはさらに別の要素など、１つまたは複数のさらなる要素が、実体Ａに存在する状況とを、両方とも表すことができる。
【００１０】
さらに、特徴または要素は、単数、または単数より多く存在している可能性があることを指示している「少なくとも１つ」、「１つまたは複数」という用語、または類似の表現は、通常、それぞれの特徴または要素を紹介するときに一度だけ使用されることに留意されたい。以下において、それぞれの特徴または要素に言及するときには、ほとんどの場合、「少なくとも１つ」または「１つまたは複数」という表現は、繰り返されず、それぞれの特徴または要素が、単数、または単数より多く存在し得る事実に逆らわない。
【００１１】
さらに、以下で使用される場合、「詳細には」、「より詳細には」、「具体的には」、「より具体的には」という用語、または類似の用語は、代替的な可能性を制限することなく、追加的／代替的な特徴と併せて使用される。したがって、これらの用語によって紹介される特徴は、追加的／代替的な特徴であり、いかなる形であれ請求項の範囲を制限するようには意図されていない。本発明は、当業者であれば認識されるように、代替的特徴を使用して実行され得る。同様に、「本発明の実施形態の中に」または類似の表現で紹介される特徴は、本発明の代替実施形態に関して何ら制限することなく、本発明の範囲に関して何ら制限することなく、そのような方法で紹介された特徴を、本発明の他の追加的／代替的な、または非追加的／非代替的な特徴と組み合わせる可能性に関して何ら制限することなく、追加的／代替的な特徴であるように意図されている。
【００１２】
ラボラトリ機器用ハウジングが開示される。ラボラトリ機器は基礎板を備える。少なくとも１つの消耗品を保持するように構成される保持具または少なくとも１つの消耗品を含むラックが、前記基礎板に対して据え付けられる。ハウジングは、枠を備える。枠は、基礎板を支持するように構成される。ハウジングが、基礎板を支持するように構成される枠を備えるので、ハウジングは、支持構造物の役目をする。したがって、ハウジングは、設計および保護要素としての機能を果たすだけでなく、さらに剛性および安定性を提供する。別個の支持構造物が、開示されたハウジングによって省略され得るので、構造部材の数を減らすことができる。特に、すべての要素をハウジングに据え付けることもできる。さらに、ラボラトリ機器の重量は、開示されたハウジングによって低減され得る。さらにその上、ハウジングの構造は、モジュール性を可能にする。さらに、組立プロセスに関する精度は、さらなる支持構造物に適応させる必要がない基礎板だけで、かなえられる。
【００１３】
本明細書で使用される「ラボラトリ機器」という用語は、生体試料を処理するための分析器および／または分析前／後機器を表している。さらに、本明細書で使用される生体試料には、有機体から採取した試料から得られた、複製された、複写された、または再生された任意の化学製品が含まれる。本明細書で使用される分析器には、生体試料の物理的特性または性質を決定するために、生体試料を計測する装置が含まれる。多くの場合、生体試料は、ラボラトリ機器に装てんされる試料ラックにその後入れられる試料管または試料容器に入れられ得る。試料管および／またはラックは、バーコードラベルなどの、識別タグ読取装置によって読まれるタグを備えることができる。「試料ラック」は、通常はプラスチックおよび／または金属でできていて、１つまたは複数の試料管、例えば１つまたは複数の列に配置された例えば５つ以上の試料管、を受容、保持、および搬送するのに適した搬器である。
【００１４】
本明細書で使用される「基礎板」という用語は、ラボラトリ機器の分析プロセスが実行される実際の作業面を表す、ラボラトリ機器の中に据え付けられた板を指している。この目的のために、基礎板が、それに据え付けられた機器要素とともに提供される。
【００１５】
枠は、基礎板が枠に対して直接据え付け可能であるように構成され得る。したがって、基礎板の据え付けは、基礎板を枠に対して据え付けるための追加的な連結部または据付要素が必要とされないように、簡素化されている。
【００１６】
枠は、複数の輪郭部を備えることができる。輪郭部は、互いに連結される。したがって、枠は、枠が輪郭部によって構築されるような、モジュラ様式で設計されることができる。特に、輪郭部を使用することで、枠のさまざまな設計と、構造のスケールアップまたはスケールダウンとが可能になる。本明細書で使用される「輪郭部」という用語は、細長い構造部材を指している。輪郭部は、押出成形法によって製作されることができる。したがって、輪郭部は、いわゆる押出輪郭部であり得る。輪郭部は、ねじまたはクランプなどの連結要素によって互いに連結され得る
輪郭部は、プラスチックおよび／または金属でできていることができる。例えば、輪郭部は、アルミニウムでできている。
【００１７】
枠は、対向する側面枠部分と、横断枠部分とを備えることができる。側面枠部分は、横断枠部分を用いて互いに連結され得る。したがって、横断枠部分は、側面枠部分が横断枠部分によって支持されるように、側面枠部分との一種の架け橋の役割をする。それによって、枠は、剛性または不撓性（ｒｉｇｉｄｉｔｙ  ｏｒ  ｓｔｉｆｆｎｅｓｓ）を備えている。
【００１８】
横断枠部分は、側面枠部分に固定され得る。例えば、横断枠部分は、ねじを用いて側面枠部分に固定される。
基礎板は、側面枠部分に対して据え付けられ得る。したがって、基礎板の重さの力は、側面枠部分に直接伝えられる。それによって、枠は、基礎板の重さの力によって補強される。
【００１９】
側面枠部分のそれぞれは、上側枠部分、下側枠部分、および２つの連結枠部分を備えることができる。上側枠部分および下側枠部分は、連結枠部分に連結され得る。したがって、側面枠部分は、いくつかの箇所で連結枠部分に連結される。それによって、枠の不撓性および安定性は、増強される。
【００２０】
上側枠部分および下側枠部分は、隅連結部を用いて連結枠部分に連結され得る。したがって、上側枠部分および下側枠部分の、連結枠部分への信頼性が高く堅牢な連結が提供される。
【００２１】
枠は、補強され得る。したがって、ラボラトリ機器のすべての構造部材が、互いに対して精密に方向づけられた状態を維持するように、枠は、その形状を保持することが確実となる。
【００２２】
ハウジングは、底板、後方壁、および２つの対向する側壁をさらに備えることができる。底板、後方壁、および側壁は、枠に対して据え付けられ得る。したがって、ハウジングの内部は、ラボラトリ機器の周囲から遮蔽され得る。それによって、ハウジングの内部への望まれていないアクセスが、防止される。
【００２３】
側壁は、側面枠部分を覆うように、側面枠部分に対して据え付けられ得る。底板は、側面枠部分の間の下側部分を覆うように、横断枠部分の少なくとも１つに対して据え付けられ得る。後方壁は、下側部分に実質的に直角になっている側面枠部分の間の垂直部分を覆うように、横断枠部分の少なくとも１つに対して据え付けられ得る。それによって、ハウジングの内部は、その３つの側部で遮蔽され得る。
【００２４】
枠は、枠に対して据え付けられた底板、後方壁、および側壁を用いて補強され得る。したがって、底板、後方壁、および側壁は、せん断板と同様の機能を果たす。
ハウジングは、フードをさらに備えることができる。フードは、枠に対して枢動可能に据え付けられ得る。したがって、枠は、さらにフードも支持する。フードが枠に対して枢動可能に据え付けられているので、フードは、ハウジングの内部がアクセスから防がれる閉位置から、アクセスを許すようハウジングの内部が露出している開位置まで移動され得、逆もまた同様である。
【００２５】
ハウジングは、ガススプリングをさらに備えることができる。ガススプリングは、フードおよび枠に対して据え付けられる。したがって、ガススプリングによって、フードの軸回転運動は、円滑化される。
【００２６】
フードは、上側枠部分に対して据え付けられ得る。したがって、フードは、上向き運動によって、閉位置から開位置まで移動され得る。
ハウジングは、脚をさらに備えることができる。脚は、ハウジングを支持するように構成され得る。したがって、基礎板の重さの力は、枠に伝えられ、そこから脚に伝えられる。
【００２７】
脚は、底板に対して据え付けられ得る。したがって、脚がハウジングの総重量を支えることが確実となる。
さらに、基礎板と、機器要素の群と、上記実施形態によるハウジングとを備えるラボラトリ機器が、開示される。基礎板は、ハウジングの枠に対して直接据え付けられる。機器要素の少なくともいくつかは、基礎板に対して据え付けられる。したがって、ハウジングが、ラボラトリ機器の重さの大部分を支持することが確実となる。
【００２８】
機器要素の群は、ヒューズボックス、印刷機用支持体、光源、風胴、ケーブルツリー、分析機器、教示用ボルトまたはマーク、識別または検出用装置、ラックを保持するように構成される保持具、試料を分析するための光学部品、液体の熱処理用装置、消耗品を取り扱うための装置、試料または試薬を処理するための装置で構成される群から選択された少なくとも１つの要素を備えることができる。このように、豊富な種類の要素が、基礎板によって支持され得る。
【００２９】
さらに、
−  ハウジングの枠を据え付けるステップと、
−  基礎板を枠に対して据え付けるステップであって、枠が基礎板を支持するように構成される、基礎板を枠に対して据え付けるステップと、
−  機器要素を基礎板に対して据え付けるステップと、を含む、ラボラトリ機器を組み立てる方法が開示される。
【００３０】
このように、ラボラトリ機器は、簡素化された様式で組み立てられ得る。
基礎板は、枠に対して直接据え付けられ得る。したがって、基礎板の据え付けは、基礎板を枠に対して据え付けるための追加的な連結部または据付要素が必要とされないように、簡素化されている。
【００３１】
枠を据え付けるステップは、複数の輪郭部を互いに連結するステップを含むことができる。このように、枠は、重量を減らすように、輪郭部によって構築され得る。
枠を据え付けるステップは、側面枠部分が互いに対向するように、横断枠部分を用いて側面枠部分を互いに連結するステップを含むことができる。したがって、横断枠部分は、側面枠部分が横断枠部分によって支持されるように、側面枠部分との一種の架け橋の役割をする。それによって、剛性または不撓性を備えた枠が提供される。
【００３２】
横断枠部分は、側面枠部分に固定され得る。したがって、横断枠部分は、側面枠部分に確実に固定される。
横断枠部分は、ねじを用いて側面枠部分に固定され得る。したがって、組立ては、さらに容易になる。
【００３３】
基礎板は、側面枠部分に対して据え付けられ得る。したがって、基礎板の重さの力は、側面枠部分に直接伝わる。それによって、枠は、基礎板の重さの力によって補強される。
側面枠部分はそれぞれ、上側枠部分および下側枠部分を２つの連結枠部分に連結することによって据え付けられ得る。したがって、側面枠部分は、いくつかの箇所で連結枠部分に連結される。それによって、枠の不撓性および安定性は、増強される。
【００３４】
上側枠部分および下側枠部分は、隅連結部を用いて連結枠部分に連結され得る。したがって、上側枠部分および下側枠部分の、連結枠部分への信頼性が高く堅牢な連結が提供される。
【００３５】
方法は、底板、後方壁、および２つの対向する側壁を枠に据え付けるステップをさらに含むことができる。したがって、ハウジングの内部は、ラボラトリ機器の周囲から遮蔽され得る。それによって、ハウジングの内部への望まれていないアクセスが防止される。
【００３６】
側壁は、側面枠部分を覆うように、側面枠部分に対して据え付けられ得る。底板は、側面枠部分の間の下側部分を覆うように、横断枠部分の少なくとも１つに対して据え付けられ得る。後方壁は、下側部分に実質的に直角になっている側面枠部分の間の垂直部分を覆うように、横断枠部分の少なくとも１つに対して据え付けられ得る。それによって、ハウジングの内部は、その３つの側部で遮蔽され得る。
【００３７】
方法は、フードを枠に枢動可能に据え付けるステップをさらに含むことができる。したがって、枠は、さらにフードも支持する。フードが枠に対して枢動可能に据え付けられているので、フードは、ハウジングの内部がアクセスから防がれる閉位置から、アクセスを許すようハウジングの内部が露出している開位置まで移動され得、逆もまた同様である。
【００３８】
方法は、ガススプリングをフードおよび枠に対して据え付けるステップをさらに含むことができる。したがって、ガススプリングによって、フードの軸回転運動は、円滑化される。
【００３９】
フードは、上側枠部分に対して据え付けられ得る。したがって、フードは、上向き運動によって、閉位置から開位置まで移動され得る。
方法は、脚を据え付けるステップをさらに含むことができる。脚は、ハウジングを支持するように構成され得る。したがって、基礎板の重さの力は、枠に伝えられ、そこから脚に伝えられる。
【００４０】
脚は、底板に対して据え付けられ得る。したがって、脚が、ラボラトリ機器の総重量を支えることが確実となる。
開示される装置および方法の発見を要約して、以下の実施形態が開示される。
【００４１】
実施形態１：ラボラトリ機器用ハウジングであって、ラボラトリ機器が基礎板を備え、少なくとも１つの消耗品を保持するように構成される保持具または少なくとも１つの消耗品を備えるラックが前記基礎板に対して据え付けられ、ハウジングが枠を備え、枠が基礎板を支持するように構成される、ハウジング。
【００４２】
実施形態２：実施形態１によるハウジングであって、基礎板が枠に対して直接据え付け可能であるように枠が構成される、ハウジング。
実施形態３：実施形態１または２によるハウジングであって、枠が複数の輪郭部を備え、輪郭部が互いに連結される、ハウジング。
【００４３】
実施形態４：実施形態３によるハウジングであって、輪郭部が押出輪郭部である、ハウジング。
実施形態５：実施形態３または４によるハウジングであって、輪郭部がアルミニウムでできている、ハウジング。
【００４４】
実施形態６：実施形態１から５のいずれか１つによるハウジングであって、枠が、対向する側面枠部分と、横断枠部分とを備え、側面枠部分が、横断枠部分を用いて互いに連結される、ハウジング。
【００４５】
実施形態７：実施形態６によるハウジングであって、横断枠部分が側面枠部分に固定される、ハウジング。
実施形態８：実施形態７によるハウジングであって、横断枠部分がねじを用いて側面枠部分に固定される、ハウジング。
【００４６】
実施形態９：実施形態６から８のいずれか１つによるハウジングであって、基礎板が側面枠部分に対して据え付けられる、ハウジング。
実施形態１０：実施形態６から９のいずれか１つによるハウジングであって、側面枠部分のそれぞれが、上側枠部分、下側枠部分および２つの連結枠部分を備え、上側枠部分および下側枠部分が連結枠部分に連結される、ハウジング。
【００４７】
実施形態１１：実施形態１０によるハウジングであって、上側枠部分および下側枠部分が隅連結部を用いて連結枠部分に連結される、ハウジング。
実施形態１２：実施形態１から１１のいずれか１つによるハウジングであって、枠が補強される、ハウジング。
【００４８】
実施形態１３：実施形態６から１１のいずれか１つによるハウジングであって、底板、後方壁および２つの対向する側壁をさらに備え、底板、後方壁および側壁が枠に対して据え付けられる、ハウジング。
【００４９】
実施形態１４：実施形態１３によるハウジングであって、側壁が、側面枠部分を覆うように、側面枠部分に対して据え付けられ、底板が、側面枠部分の間の下側部分を覆うように、横断枠部分の少なくとも１つに対して据え付けられ、後方壁が、下側部分に実質的に直角になっている側面枠部分の間の垂直部分を覆うように、横断枠部分の少なくとも１つに対して据え付けられる、ハウジング。
【００５０】
実施形態１５：実施形態１３または１４によるハウジングであって、枠が、枠に対して据え付けられる底板、後方壁および側壁を用いて補強される、ハウジング。
実施形態１６：実施形態１０から１５のいずれか１つによるハウジングであって、フードをさらに備え、フードが枠に対して枢動可能に据え付けられる、ハウジング。
【００５１】
実施形態１７：実施形態１６によるハウジングであって、ガススプリングをさらに備え、ガススプリングがフードおよび枠に対して据え付けられる、ハウジング。
実施形態１８：実施形態１６または１７によるハウジングであって、フードが上側枠部分に対して据え付けられる、ハウジング。
【００５２】
実施形態１９：実施形態１３から１８のいずれか１つによるハウジングであって、脚をさらに備え、脚がハウジングを支持するように構成される、ハウジング。
実施形態２０：実施形態１９によるハウジングであって、脚が底板に対して据え付けられる、ハウジング。
【００５３】
実施形態２１：ラボラトリ機器であって、基礎板と、機器要素の群と、実施形態１から２０のいずれか１つによるハウジングとを備え、基礎板がハウジングの枠に対して直接据え付けられ、機器要素の少なくともいくつかが基礎板に対して据え付けられる、ラボラトリ機器。
【００５４】
実施形態２２：実施形態２１によるラボラトリ機器であって、機器要素の群が、ヒューズボックス、印刷機用支持体、光源、風胴、ケーブルツリー、分析機器、教示用ボルトまたはマーク、識別または検出用装置、ラックを保持するように構成される保持具、試料を分析するための光学部品、液体の熱処理用装置、消耗品を取り扱うための装置、試料または試薬を処理するための装置で構成される群から選択された少なくとも１つの要素を備える、ラボラトリ機器。
【００５５】
実施形態２３：ラボラトリ機器を組み立てる方法であって、
−  ハウジングの枠を据え付けるステップと、
−  基礎板を枠に対して据え付けるステップであって、枠が基礎板を支持するように構成される、基礎板を枠に対して据え付けるステップと、
−  機器要素を基礎板に対して据え付けるステップと、を含む、方法。
【００５６】
実施形態２４：実施形態２３による方法であって、基礎板が、枠に対して直接据え付けられる、方法。
実施形態２５：実施形態２３または２４による方法であって、枠を据え付けるステップが、複数の輪郭部を互いに連結するステップを含む、方法。
【００５７】
実施形態２６：実施形態２３から２５のいずれか１つによる方法であって、枠を据え付けるステップが、側面枠部分が互いに対向するように、横断枠部分を用いて側面枠部分を互いに連結するステップを含む、方法。
【００５８】
実施形態２７：実施形態２６による方法であって、横断枠部分が側面枠部分に固定される、方法。
実施形態２８：実施形態２７による方法であって、横断枠部分がねじを用いて側面枠部分に固定される、方法。
【００５９】
実施形態２９：実施形態２６から２８のいずれか１つによる方法であって、基礎板が側面枠部分に対して据え付けられる、方法。
実施形態３０：実施形態２６から２９のいずれか１つによる方法であって、側面枠部分がそれぞれ、上側枠部分および下側枠部分を２つの連結枠部分に連結することによって据え付けられる、方法。
【００６０】
実施形態３１：実施形態３０による方法であって、上側枠部分および下側枠部分が、隅連結部を用いて連結枠部分に連結される、方法。
実施形態３２：実施形態２６から３１のいずれか１つによる方法であって、底板、後方壁および２つの対向する側壁を枠に据え付けるステップをさらに含む、方法。
【００６１】
実施形態３３：実施形態３２による方法であって、側壁が、側面枠部分を覆うように、側面枠部分に対して据え付けられ、底板が、側面枠部分の間の下側部分を覆うように、横断枠部分の少なくとも１つに対して据え付けられ、後方壁が、下側部分に実質的に直角になっている側面枠部分の間の垂直部分を覆うように、横断枠部分の少なくとも１つに対して据え付けられる、方法。
【００６２】
実施形態３４：実施形態２３から３３のいずれか１つによる方法であって、フードを枠に枢動可能に据え付けるステップをさらに含む、方法。
実施形態３５：実施形態３４による方法であって、ガススプリングをフードおよび枠に対して据え付けるステップをさらに含む、方法。
【００６３】
実施形態３６：実施形態３４または３５による方法であって、フードが、上側枠部分に対して据え付けられる、方法。
実施形態３７：実施形態３２から３６のいずれか１つによる方法であって、脚を据え付けるステップをさらに含み、脚がハウジングを支持するように構成される、方法。
【００６４】
実施形態３８：実施形態３７による方法であって、脚が、底板に対して据え付けられる、方法。
本発明のさらなる特徴および実施形態は、この後の、特に従属請求項に関連した説明でさらに詳細に開示される。その中のそれぞれの特徴は、当業者であれば認識されるように、単離したやり方で、ならびに何らかの任意の実行可能な組合せで実現され得る。実施形態は、図では概略的に描写されている。そこにおいて、これらの図中の同一の参照符号は、同一の要素または機能的に同一の要素を指している。
【図面の簡単な説明】
【００６５】
【図１】ラボラトリ機器の斜視図である。
【図２】いくつかの部品が除去された状態のラボラトリ機器の斜視図である。
【図３】輪郭部を連結するステップを示す図である。
【図４】側面枠部分を示す図である。
【図５】側面枠部分と横断枠部分とを連結するステップを示す図である。
【図６】底板を示す図である。
【図７】側壁部分を据え付けるステップを示す図である。
【図８】枠を組み立てるステップを示す図である。
【図９】連結後の枠を示す図である。
【図１０】ラボラトリ機器を据え付けるステップを示す図である。
【図１１】基礎板を枠に対して据え付けるステップを示す図である。
【図１２】枠に対して据え付けられた基礎板を示す図である。
【図１３】側壁部分を据え付けるステップを示す図である。
【図１４】側壁部分を示す図である。
【図１５】フードを据え付けるステップを示す図である。
【図１６】据え付け後のフードを示す図である。
【発明を実施するための形態】
【００６６】
図１は、ラボラトリ機器１００の斜視図を示す。さらに、図１は、ラボラトリ機器１００用のハウジング１０２を示す。図２は、いくつかの部品が、説明的な理由で除去された状態のラボラトリ機器１００の斜視図を示す。ラボラトリ機器１００は、基礎板１０４を備える。ラボラトリ機器１００は、機器要素１０６の群をさらに備える。機器要素１０６の少なくともいくつかは、基礎板１０４に対して据え付けられる。機器要素１０６の群は、電力ヒューズボックス１０８、印刷機用支持体１１０、光源１１２、風胴１１４、ケーブルツリー１１６、分析機器、教示用ボルトまたはマーク、識別または検出用装置、消耗品を保持するように構成される保持具１１８、試料を分析するための光学部品、液体の熱処理用装置、消耗品を取り扱うための装置、試料または試薬を処理するための装置で構成される群から選択された少なくとも１つの要素を備える。本例では、ラボラトリ機器１００は、電力ヒューズボックス１０８、印刷機用支持体１１０（図１０）、ＵＶ光源などの光源１１２、風胴１１４（図１０）、ケーブルツリー１１６（図１０）、ラックおよび受け皿１２０を保持するように構成される保持具１１８（図１０）を備える。ラックなどの少なくとも１つの消耗品を保持するように構成される保持具１１８は、基礎板１０４に対して据え付けられる。あるいは、少なくとも１つの消耗品を含むラックは、基礎板１０４に対して据え付けられ得る。
【００６７】
ハウジング１０２は、枠１２２を備える。枠１２２は、基礎板１０４を支持するように構成される。枠１２２は、複数の輪郭部１２４を備える。輪郭部１２４は、下文でより詳細に説明されるように、互いに連結される。輪郭部１２４は、押出輪郭部である。輪郭部１２４は、アルミニウムでできている。枠１２２は、側面枠部分１２６および横断枠部分１２８を備える。側面枠部分１２６は、横断枠部分１２８を用いて互いに連結される。側面枠部分１２６は、垂直面に延在し、一方で、横断枠部分１２８は、垂直面に対して直角な水平方向に延在する。横断枠部分１２８は、側面枠部分１２６に固定される。この例では、横断枠部分１２８は、ねじ１３０を用いて側面枠部分１２６に固定される。側面枠部分１２６および横断枠部分１２８は、輪郭部１２４によって形成される、また構築される。横断枠部分１２８は、長手形状であるが、側面枠部分１２６は、閉じたまたは環状の様式に形付けられる。側面枠部分１２６のそれぞれは、上側枠部分１３２、下側枠部分１３４、および２つの連結部分１３６を備える。上側枠部分１３２および下側枠部分１３４は、２つの連結部分１３６に連結される。この例では、上側枠部分１３２および下側枠部分１３４は、隅連結部１３８を用いて２つの連結部分１３６に連結される。隅連結部１３８は、ねじ１３０を用いて上側枠部分１３２および下側枠部分１３４に固定され得る。この例では、５つの横断枠部分１２８が存在しており、２つの横断枠部分１２８が下側枠部分１３４に連結され、２つの横断枠部分１２８が連結部分１３６のうちの後方の連結部分に連結され、１つの横断枠部分１２８が上側枠部分１３２に連結される。
【００６８】
ハウジング１０２は、底板１４０、後方壁１４２および２つの対向する側壁１４４をさらに備える。底板１４０は、横断枠部分１２８の少なくとも１つに対して据え付けられる。この例では、底板１４０は、側面枠部分１２６の間の下側部分１４６を覆うように、下側枠部分１３４に連結されている２つの横断枠部分１２８に据え付けられる。電力ヒューズボックス１０８、印刷機用支持体１１０、風胴１１４、およびケーブルツリー１１６は、底板１４０に据え付けられる。光源１１２は、連結部分１３６のうちの後方の連結部分に連結されている２つの横断枠部分１２８のうちの上側の横断枠部分に対して据え付けられる。後方壁１４２は、下側部分１４６に実質的に垂直になっている側面枠部分１２６の間の垂直の部分１４８を覆うように、横断枠部分１２８の少なくとも１つに対して据え付けられる。この例では、後方壁１４２は、連結部分１３６のうちの後方の連結部分に連結されている２つの横断枠部分１２８に対して据え付けられ、連結部分１３６のうちの後方の連結部分に対して据え付けられる。側壁１４４は、側面枠部分１２６を覆うように、側面枠部分１２６に据え付けられる。示されるように、側壁１４４は上側側壁部分１５０および下側側壁部分１５２をそれぞれ備えることができる。下側側壁部分１５２の１つに、送風機１５４および光源１１２から発された光を遮蔽するための遮蔽部材１５６が、配置される（図１４）。
【００６９】
さらに、ハウジング１０２は、脚１５８を備える。脚１５８は、ハウジング１０２を支持するように構成される。脚１５８は、底板１４０に対して据え付けられる。この例では、４つの脚１５８が、存在している。脚１５８は、底板１４０の下側面に据え付けられる。脚１５８は、底板１４０の隅に隣接して位置付けられる。さらに、ハウジング１０２は、フード１６０を備える。フード１６０は、枠１２２に対して枢動可能に据え付けられる。
【００７０】
より詳細には、フード１６０は、上側枠部分１３２に対して据え付けられる。さらに、ハウジング１０２は、ガススプリング１６２（図１５）を備える。ガススプリング１６２は、フード１６０および枠１２２に対して据え付けられる。したがって、フード１６０は、フード１６０がハウジング１０２の内部を覆う閉位置と、ハウジング１０２の内部がアクセス可能な開位置との間で枢動可能である。
【００７１】
さらに、基礎板１０４が枠１２２に対して直接据え付け可能であるように、枠１２２は構成される。この例では、基礎板１０４は、角ブラケット１６４を用いて、その間に何ら別の構造部材なしに、枠１２２の連結部分１３６に据え付けられる。この構造によって、枠１２２は、補強される。より詳細には、枠１２２は、枠１２２に据え付けられた底板１４０、後方壁１４２、および側壁１４４によって補強される。
【００７２】
ラボラトリ機器１００は、以下で説明される様式で組み立てられる。ハウジング１０２の枠１２２が、据え付けられる。図３は、輪郭部１２４を連結するステップを示す。説明されるように、枠１２２は、複数の輪郭部１２４を特定の様式で相互に連結することによって、据え付けられる。詳細には、側面枠部分１２６は、側面枠部分１２６ごとに、上側枠部分１３２および下側枠部分１３４が、隅連結部１３８を用いて２つの連結部分１３６に連結されることで据え付けられる。隅連結１３８は、ねじ１３０を用いて上側枠部分１３２および下側枠部分１３４に固定される。図４は、このようにして組み立てられた側面枠部分１２６を示す。
【００７３】
図５は、側面枠部分１２６および横断枠部分１２８を連結するステップを示す。横断枠部分１２８は、側面枠部分１２６に連結される。さらに、横断枠部分１２８は、外部から挿し込まれるねじ１３０を用いて側面枠部分１２６に固定される。図５は、横断枠部分１２８を上側枠部分１３２に連結および固定することだけを示していることに留意されたい。
【００７４】
図６は、底板１４０を示す。図６は、２つの横断枠部分１２８が底板１４０に据え付けられることを示す。さらに、脚１５８は、２つの横断枠部分１２８が据え付けられる側とは反対側のその下面で底板１４０に対して据え付けられる。底板１４０に据え付けられた横断枠部分１２８は、下側枠部分１３４に連結されて、外部から挿し込まれるねじ１３０を用いてそれに固定される。追加的に、底板１４０は、外部から挿し込まれるねじ１３０を用いて下側枠部分１３４に固定され得る。
【００７５】
図７は、側壁部分を据え付けるステップを示す。上側側壁部分１５０は、側面枠部分１２６に据え付けられ、ハウジング１０２の内部から挿し込まれるねじ１３０を用いてそれに固定される。
【００７６】
図８は、枠１２２を組み立てるステップを示す。２つの横断枠部分１２８は、後方壁１４２に対して据え付けられ、さらに連結部分１３６に対して据え付けられる。加えて、後方壁１４２に据え付けられた２つの横断枠部分１２８は、ねじ１３０を用いて連結部分１３６に固定される。それによって、側面枠部分１２６は、側面枠部分１２６が相互に対向するように、横断枠部分１２８を用いて相互に連結される。
【００７７】
図９は、連結後の枠１２２を示す。図９に示されるように、この据付プロセスを用いることで、ハウジング１０２には、三次元形状が付与され、より詳細には、切石状に形成される。この例では、底板１４０は、側面枠部分１２６の間の下側部分１４６を覆うように、下側枠部分１３４に連結されている２つの横断枠部分１２８に対して据え付けられる。後方壁１４２は、下側部分１４６に実質的に垂直になっている側面枠部分１２６の間の垂直部分１４８を覆うように、横断枠部分１２８の少なくとも１つに対して据え付けられる。この例では、後方壁１４２は、連結部分１３６のうちの後方の連結部分に連結されている２つの横断枠部分１２８に対して据え付けられ、連結部分１３６のうちの後方の連結部分に対して据え付けられる。上側側壁部分１５０は、枠１２２に不撓性を提供する。
【００７８】
図１０は、機器要素１０６を据え付けるステップを示す。図１０に示されるように、電力ヒューズボックス１０８、印刷機用支持物１１０、風胴１１４、およびケーブルツリー１１６は、底板１４０に据え付けられる。光源１１２は、連結部分１３６のうちの後方の連結部分に連結されている２つの横断枠部分１２８のうちの上側の横断枠部分に対して据え付けられる。側壁１４４は、側面枠部分１２６を覆うように、側面枠部分１２６に据え付けられる。
【００７９】
図１１は、基礎板１０４を枠１２２に対して据え付けるステップを示す。図１１に示されるように、機器要素１０６のいくつかは、基礎板１０４に対して据え付けられる。より詳細には、保持具１１８は、基礎板１０４に対して据え付ける。図１１に示されるように、基礎板１０４は、基礎板１０４を支持するように構成される枠１２２に対して据え付けられる。より詳細には、基礎板１０４は、側面枠部分１３６に固定された角ブラケット１６４を用いて側面枠部分１２６に据え付けられる。図１２は、枠１２２に対して据え付けられた基礎板１０４を示す。このように、基礎板１０４は、枠１２２に直接据え付けられる。
【００８０】
図１３は、側壁部分１５２を据え付けるステップを示す。図１３は、下側側壁部分１５２が、側面枠部分１２６に据え付けられることを示す。図１４は、側壁部分１５２を示す。下側側壁部分１５２のうちの１つに、送風機１５４および遮蔽部材１５６が設けられる。下側側壁部分１５２は、ねじ１３０を用いて連結部分１３６に固定される。この例では、下側側壁部分１５２は、ハウジング１０２の内部から挿し込まれる２つのねじ１３０と、２つの任意選択的な磁石１６６とを用いて連結部分１３６に固定される。このように、下側側壁部分１５２を固定するためのねじ１３０は、下側側壁部分１５２が、保守管理または修繕目的で迅速に除去され得るように、容易に接近することができるようになっている。このように、側壁１４４は、枠１２２に対して据え付けられ、側面枠部分１２６を覆う。下側側壁部分１５２が、上側側壁部分１５０に部分的に重なることができることに留意されたい。
【００８１】
図１５は、フード１６０を据え付けるステップを示す。図１５に示されるように、フード１６０は、枠１２２に対して枢動可能に据え付けられる。より詳細には、フード１６０は、上側枠部分１３２に対して据え付けられる。ガススプリング１６２は、フード１６０および枠１２２に据え付けられる。図１６は、据え付け後のフード１６０を示す。このように、フード１６０は、フード１６０がハウジング１０２の内部を覆う閉位置と、ハウジング１０２の内部がアクセス可能である開位置との間で枢動可能である。フード１６０は、窓１６８を任意選択的に備えることができる。したがって、ハウジング１０２の内部は、窓１６８を通じてその外側から可視的になっている。窓１６８は、ねじ１３０を用いてフード１６０の枠に固定され得る。
【符号の説明】
【００８２】
１００  ラボラトリ機器
１０２  ハウジング
１０４  基礎板
１０６  機器要素
１０８  電力ヒューズボックス
１１０  印刷機用支持体
１１２  光源
１１４  風胴
１１６  ケーブルツリー
１１８  保持具
１２０  受け皿
１２２  枠
１２４  輪郭部
１２６  側面枠部分
１２８  横断枠部分
１３０  ねじ
１３２  上側枠部分
１３４  下側枠部分
１３６  連結枠部分
１３８  隅連結部
１４０  底板
１４２  後方壁
１４４  側壁
１４６  下側部分
１４８  垂直部分
１５０  上側側壁部分
１５２  下側側壁部分
１５４  送風機
１５６  遮蔽部材
１５８  脚
１６０  フード
１６２  ガススプリング
１６４  角ブラケット
１６６  磁石
１６８  窓
【図１】
2018036251.tif 000003
【図２】
2018036251.tif 000004
【図３】
2018036251.tif 000005
【図４】
2018036251.tif 000006
【図５】
2018036251.tif 000007
【図６】
2018036251.tif 000008
【図７】
2018036251.tif 000009
【図８】
2018036251.tif 000010
【図９】
2018036251.tif 000011
【図１０】
2018036251.tif 000012
【図１１】
2018036251.tif 000013
【図１２】
2018036251.tif 000014
【図１３】
2018036251.tif 000015
【図１４】
2018036251.tif 000016
【図１５】
2018036251.tif 000017
【図１６】
2018036251.tif 000018
【外国語明細書】
2018036251000001.pdf